(57)【要約】【課題】目地の止水を行う止水ゴムを固定するための押さえ板であって、止水ゴムに高圧負荷がかかる場合であっても、止水ゴムを確実に固定しておくことのできる止水ゴム用押さえ板が要望されている。【解決手段】この発明の止水ゴム用押さえ板１７は、固定する止水ゴム１０の固定用側縁部１２、１３に沿って延びる長尺状の金属製平板２１を含む。平板２１の長さ方向に所定の間隔を開けて穿孔された複数のボルト挿通用の孔と、平板２１の下面の一方側縁部に突設され、平板２１を押し下げる際の支点として作用し得る突起２２とを備える。【効果】止水ゴム１０に高い水圧負荷がかかっても、止水ゴム１０の側縁部１２、１３は強固にコンクリート構造物１、２に固定されており、目地３からコンクリート構造物１、２内への水の進入を確実に防止することができる。【選択図】図１
2015155613.tif 000002
【特許請求の範囲】
【請求項１】
固定する止水ゴムの固定用側縁部に沿って延びる長尺状の金属製平板で形成された目地止水ゴムを固定するための押さえ板であって、
前記平板の長さ方向に所定の間隔を開けて穿孔された複数のボルト挿通用の孔と、
前記平板の下面の一方側縁部に突設され、平板を押し下げる際の支点として作用し得る突起と、
を備えることを特徴とする止水ゴム用押さえ板。
【請求項２】
前記平板の上面の他方側縁部には、平板の上面から略垂直に立ち上がり、所定の高さで平板から遠ざかる方向に略直角に曲がった断面視Ｌ字状の膨らみ防止板が備えられていることを特徴とする、請求項１記載の止水ゴム用押さえ板。
【請求項３】
前記突起は、前記平板の長さ方向において、前記ボルト挿通用の孔が形成された位置に対応する位置に設けられ、平板の長さ方向に間隔を開けて突設された複数個の突起を含むことを特徴とする、請求項１または２記載の止水ゴム用押さえ板。
【請求項４】
前記押さえ板が止水ゴムを固定するために、止水ゴムの固定用側縁部にボルトを用いて取り付けられた状態において、
前記突起は、止水ゴム側縁部の外側に設置されることを特徴とする、請求項１〜３のいずれか一項に記載の止水ゴム用押さえ板。
【請求項５】
前記突起の突出寸法は、固定する止水ゴムの側縁部の厚み以上であることを特徴とする、請求項１〜４のいずれか一項に記載の止水ゴム用押さえ板。
【請求項６】
前記突起の突出寸法は、固定する止水ゴムの側縁部の厚みとその上に設置される平板状押さえ板の厚みとの和以上であることを特徴とする、請求項５記載の止水ゴム用押さえ板。
【請求項７】
接合部を備えたコンクリート構造物と、
前記接合部の目地を止水するための目地止水ゴムと、
前記目地止水ゴムを固定するための請求項１〜６のいずれか一項に記載の止水ゴム用押さえ板と、
を含むことを特徴とする、浄水センターなどの公共施設。
【発明の詳細な説明】
【技術分野】
【０００１】
この発明は、水路、暗渠、貯水槽などのコンクリート構造物の目地を止水するための目地止水ゴム用の押さえ板に関する。
【背景技術】
【０００２】
水路、暗渠、貯水槽などのコンクリート構造物では、隣り合うコンクリートブロックの接合部分には隙間の開いている目地が形成される。この目地には、止水のための継手、通常止水ゴムと称されるものが取り付けられる。
コンクリート構造物の目地に取り付けられる止水ゴムを固定するための従来の押さえ板は、一例として、特許文献１の図２に開示されているような、長手の平板タイプの押さえ板（取付板）が用いられていた。
【先行技術文献】
【特許文献】
【０００３】
【特許文献１】特許第５１４３５３９号公報
【発明の概要】
【発明が解決しようとする課題】
【０００４】
従来使用されている長手の平板タイプの押さえ板の場合、止水ゴムにかかる水圧負荷が０．２ＭＰａ程度であれば、止水ゴムを確実に固定しておくことができ、何ら問題はない。
ところが、近年、止水ゴムにかかる水圧負荷が０．２ＭＰａ以上であっても止水ゴムを確実に固定しておくことのできる押さえ構造（固定構造）が要求される場合がある。
【０００５】
この発明は、このような背景のもとになされたもので、目地の止水を行う止水ゴムを固定するための押さえ板であって、止水ゴムに高圧負荷がかかる場合であっても、止水ゴムを確実に固定しておくことのできる止水ゴム用押さえ板を提供することを主たる目的とする。
【課題を解決するための手段】
【０００６】
請求項１記載の発明は、固定する止水ゴムの固定用側縁部に沿って延びる長尺状の金属製平板で形成された目地止水ゴムを固定するための押さえ板であって、前記平板の長さ方向に所定の間隔を開けて穿孔された複数のボルト挿通用の孔と、前記平板の下面の一方側縁部に突設され、平板を押し下げる際の支点として作用し得る突起と、を備えることを特徴とする止水ゴム用押さえ板である。
【０００７】
請求項２記載の発明は、前記平板の上面の他方側縁部には、平板の上面から略垂直に立ち上がり、所定の高さで平板から遠ざかる方向に略直角に曲がった断面視Ｌ字状の膨らみ防止板が備えられていることを特徴とする、請求項１記載の止水ゴム用押さえ板である。
請求項３記載の発明は、前記突起は、前記平板の長さ方向において、前記ボルト挿通用の孔が形成された位置に対応する位置に設けられ、平板の長さ方向に間隔を開けて突設された複数個の突起を含むことを特徴とする、請求項１または２記載の止水ゴム用押さえ板である。
【０００８】
請求項４記載の発明は、前記押さえ板が止水ゴムを固定するために、止水ゴムの固定用側縁部にボルトを用いて取り付けられた状態において、前記突起は、止水ゴム側縁部の外側に設置されることを特徴とする、請求項１〜３のいずれか一項に記載の止水ゴム用押さえ板である。
請求項５記載の発明は、前記突起の突出寸法は、固定する止水ゴムの側縁部の厚み以上であることを特徴とする、請求項１〜４のいずれか一項に記載の止水ゴム用押さえ板である。
【０００９】
請求項６記載の発明は、前記突起の突出寸法は、固定する止水ゴムの側縁部の厚みとその上に設置される平板状押さえ板の厚みとの和以上であることを特徴とする、請求項５記載の止水ゴム用押さえ板である。
請求項７記載の発明は、接合部を備えたコンクリート構造物と、前記接合部の目地を止水するための目地止水ゴムと、前記目地止水ゴムを固定するための請求項１〜６のいずれか一項に記載の止水ゴム用押さえ板と、を含むことを特徴とする、浄水センターなどの公共施設である。
【発明の効果】
【００１０】
止水ゴムに高い水圧負荷がかかっても、止水ゴムの側縁部は強固にコンクリート構造物等に固定されており、目地からコンクリート構造物内への水の進入を確実に防止することができる。すなわち、止水ゴムに対して高水圧負荷がかかっても、止水ゴムやその側縁部からの漏水を防止することができる。
【図面の簡単な説明】
【００１１】
【図１】図１は、この発明の一実施形態に係る目地止水ゴムの固定構造を説明するための断面構造図である。
【図２】図２は、図1の固定構造を右側から見た図である。
【図３】図３は、突起２２の高さＬと、側縁部１３の厚みＢと、押さえ板１６の厚みＡとの関係を示す図である。
【図４】図4は、水圧負荷が止水ゴム１０に与える影響を示す図解図である。
【図５】図５は、リッジの潰しが緩くなることを説明する図解図である。
【発明を実施するための形態】
【００１２】
以下には、図面を参照して、この発明の一実施形態について具体的に説明をする。
図１は、この発明の一実施形態に係る目地止水ゴムの固定構造を説明するための断面構造図である。
図１を参照して説明すると、１および２は、コンクリート構造物であり、隣り合う接合部分には隙間の開いた目地３が形成されており、目地３にはたとえば弾性接続部材が充填されている。
【００１３】
図１において、上方はコンクリート構造物１、２の内側空間であり、この内側空間内において目地３を塞ぐように、換言すれば外部（図において下方）から目地３を通って水が内側空間へ侵入するのを阻止するために、目地３の内側に止水ゴム１０が取り付けられている。
止水ゴム１０は、紙面に垂直方向に長手をしたゴム製の可撓継手で、その断面形状は、図示のような形状である。すなわち、幅方向中央部分に蛇腹状の蛇行部１１を備え、蛇行部１１の右側および左側には、それぞれ、平坦な固定用右側縁部１２および固定用左側縁部１３が連設されている。固定用右側縁部１２の側端部および固定用左側縁部１３の側端部には、上方へ盛り上がる止め畝１４、１５がそれぞれ形成されている。
【００１４】
止水ゴム１０は、ゴム層間に繊維の基布、たとえばナイロン基布１０ａを配置した構成を有している。ゴムとしては、たとえば天然ゴム系、クロロプレン系、ＥＰＤＭ系のゴムを利用できる。
固定用右側縁部１２の上面には従来使用されていたものと同じ平板タイプの押さえ板１６が載せられ、さらにその上に、この実施形態に係る止水ゴム用押さえ板１７が重ね合わされるように載せられ、押さえ板１７、押さえ板１６、および固定用右側縁部１２は、アンカーボルト１８およびナット２０によってコンクリート構造物１に固定されている。
【００１５】
アンカーボルト１８は、目地３の長さ方向（紙面に垂直方向）に沿って、所定のピッチでコンクリート構造物１に打設されている。
固定用右側縁部１２、押さえ板１６および押さえ板１７には、アンカーボルト１８の打設ピッチに合わせて、平面視で重なり合う位置にボルト挿通用の貫通孔が穿孔されている。そして、各孔にアンカーボルト１８が通され、重なり合った止水ゴム１０の固定用右側縁部１２、押さえ板１６および押さえ板１７の上方からアンカーボルト１８にワッシャ１９が嵌められ、その上からナット２０がアンカーボルト１８に螺合されて締めつけられることにより、コンクリート構造物１の表面と押さえ板１６、１７の間で、止水ゴム１０の固定用右側縁部１２が挟まれて共締めされることにより、固定される。
【００１６】
止水ゴム１０の固定用左側縁部１３も、同様の固定構造によってコンクリート構造物２に固定されている。このため、固定構造の同一構成要素には同一の符号を付し、重複した説明については省略する。
この実施形態に係る止水ゴム用押さえ板１７は、その幅（図１において左右方向の長さ）が固定用右側縁部１２（または固定用左側縁部１３）の幅よりもやや大きな幅で、紙面に垂直方向に延び、長手をした平板２１を含んでいる。そして、この平板２１には、一方側縁部側、より具体的には外側側縁部下面に、突起２２が突設されている。
【００１７】
図２は、図１の固定構造を右側から見た図である。突起２２は、図２に示すように、平板２１の長手方向（図において左右方向）に連続的に延びる突起ではなく、平板２１の長手方向において、アンカーボルト１８に対応する位置にだけ設けられている。換言すれば、平板２１の長手方向に所定の間隔を空けて、突起２２は複数個設けられている。
図３に、突起２２の高さＬと、止水ゴム１０の固定用左側縁部１３の平坦部の厚みＢと、平板タイプの押さえ板１６の厚みＡとの関係を示す。
【００１８】
図３を参照して、突起２２の高さＬと、止水ゴム１０の固定用左側縁部１３の平坦部の厚みＢと、平板タイプの押さえ板１６の厚みＡとの関係は、
Ｌ≧Ａ＋Ｂ
という関係を満たすように設計されている。
図４は、水圧負荷が止水ゴム１０に与える影響を示す図解図である。図４を参照して、外部から目地３を通って水が浸入し、止水ゴム１０の蛇行部１１に水圧負荷がかかった場合、当該水圧負荷により蛇行部１１は内部へ向かって膨張する。そして、押さえ板１６に対し矢印Ａ１で示す回転力を加える。
【００１９】
この点についてより具体的に、図５を参照して説明をする。
通常、止水ゴム１０の固定用左側縁部１３（右側縁部１２も同様である）の下面内方寄りの位置には、リッジ２７と称される突条の小突起が備えられている。止水ゴム１０に外部からの水圧負荷がかかり、その力が大きくなると、図４に示すように水圧負荷は止水ゴム１０を膨張させて拡げようとする力となる。その場合に、平板タイプの押さえ板１６だけでは、止水ゴム１０の側縁部１２、１３が斜めに持ち上げられ、押さえ板１６を回転させようとする力Ａ１が働く。そして、止水機能をするリッジ２７の潰しが緩くなる。リッジ２７の潰しが緩くなると、止水ゴム１０は水圧に負けて、側縁部１２、１３とコンクリート構造物１、２の表面との間から漏水する虞れがある。
【００２０】
そこで、この実施形態では、新たに、止水ゴム用押さえ板１７を用いる。
押さえ板１７は、突起２２を支点としてアンカーボルト１８およびナット２０によって下向きの力（回転方向Ａ１と逆方向の力）を加えている。つまり、押さえ板１７の平板２１は、突起２２を支点とし、ナット２０で押さえられている部分を力点として、テコの原理でしっかりと下方に押圧力を加えている。このため、水圧負荷による回転力Ａ１により、固定用側縁部１２、１３が浮き上がることはない。
【００２１】
換言すれば、高水圧負荷がかかって止水ゴム１０が膨らみ、持ち上げられようとしても、リッジ２７を潰す力が低減されるのを防ぎ、漏水を防止できるものである。
このように、この実施形態に係る止水ゴム用押さえ板１７を用いると、止水ゴム１０はその側縁部１２、１３がしっかりとコンクリート構造物１、２に密着されており、水圧負荷が大きくなっても、水漏れを生じることはない。
【００２２】
止水ゴム用押さえ板１７には、さらに、断面視Ｌ字状の膨らみ防止板２３が備えられている。膨らみ防止板２３は、止水ゴム用押さえ板１７の平板２１において、突起２２が設けられた側と反対側の他方側縁部の上面に、たとえば溶接により固定されている。膨らみ防止板２３は平板２１の他方側縁部上面からほぼ垂直に立ち上がり、所定の高さで平板２１の他方側縁部から遠ざかる方向にほぼ直角に曲げられた断面Ｌ字状をしている。
【００２３】
この膨らみ防止板２３は止水ゴム１０の蛇行部１１の上方に配置された膨らみ防止板２４が外れないように、膨らみ防止板２４の両側縁部を上方から係止している。
なお、止水ゴム用押さえ板１７の突起２２は、図１に示すように、止水ゴム１０の固定用右側縁部１２（または固定用左側縁部１３）の右端（または左側）の止め畝１４、１５よりも右側（または左側）に配置されていて、コンクリート構造物１、２の内表面に直接接している。すなわち、押さえ板１７が止水ゴム１０を固定するために止水ゴム１０の固定用側縁部１２、１３に取り付けられた状態において、突起２２は固定用側縁部１２、１３の外側に設置されるようになっている。
【００２４】
以上の実施形態では、止水ゴム用押さえ板１７と、平板タイプの押さえ板１６とは別体で構成されているものとして説明した。しかしながら、この構成に限らず、止水ゴム用押さえ板１７の平板２１の下面側に平板タイプの押さえ板１６を積層するようにたとえば溶接固定した構成とし、押さえ板１６がこの実施形態の止水ゴム用押さえ板１７と一体化された構成としてもよい。
【実施例】
【００２５】
この実施形態に係る押さえ板１７を使用せず、平板タイプの押さえ板１６だけを用いたものと、この実施形態に係る押さえ板１７を用いたものとについて、それぞれ、耐水圧試験を行った。
試験は、専用の止水試験機を準備し、従来例（平板タイプの押さえ板１６だけで止水ゴム１０を固定するもの）と、この実施形態に係る止水ゴム用押さえ板１７を用いたもの（図１の構成）とを対象に、水圧負荷がどれくらいで漏水するのかを比較評価することにより行った。
【００２６】
試験結果は、表１の通りである。
【００２７】
【表１】
2015155613.tif 000003
【００２８】
試験の結果、この発明の実施形態によれば従来の約倍の圧力に対してまで耐水圧特性を有することが理解できる。
この発明は、上記実施形態や実施例に限定されるものではなく、特許請求の範囲に記載された事項の範囲で種々の設計変更を施すことが可能である。
【符号の説明】
【００２９】
１、２    コンクリート構造物
３        目地
１０      止水ゴム
１２      固定用右側縁部
１３      固定用左側縁部
１６      平板タイプの押さえ板
１７      止水ゴム用押さえ板
２１      平板
２２      突起
【図１】
2015155613.tif 000004
【図２】
2015155613.tif 000005
【図３】
2015155613.tif 000006
【図４】
2015155613.tif 000007
【図５】
2015155613.tif 000008